(57)【要約】      （修正有）【課題】壁面或いは商品陳列棚等に吊り下げて使用するだけでなく、通路の空いたスペースなどでも商品包装用箱等を利用して簡単に設置することが可能な商品用陳列ボードを提供する。【解決手段】商品を吊り下げて陳列する陳列ボードであって、プレート状をした基板３に、商品を吊り下げるための複数の吊下フックを設けると共に、棒状の支持体に吊り掛け可能な吊掛紐６と、板状の支持体の上端縁に係止可能な係止フック７とを設けることにより形成される。吊下フックは、基端部を基板３に着脱自在に取り付けられて先端部が基板３の前面方向に延出し、係止フック７は、基板３の幅方向中央寄りの左右相対する位置に、基板３の一部を基板３の裏面側に向けて切り起こすことにより基板３と一体に形成される。【選択図】図３
0003157499.tif 000002
【実用新案登録請求の範囲】
【請求項１】
商品を吊り下げて陳列する陳列ボードであって、プレート状をした基板に、上記商品を吊り下げるための複数の吊下フックを設けると共に、棒状の支持体に吊り掛け可能な吊掛紐と、板状の支持体の上端縁に係止可能な２つの係止フックとを設けることにより形成され、
上記吊下フックは、基端部を上記基板に着脱自在に取り付けられて先端部が該基板の前面方向に延出し、
上記係止フックは、上記基板の幅方向中央寄りの左右相対する位置に、該基板の一部を該基板の裏面側に向けて切り起こすことにより該基板と一体に形成されている、
ことを特徴とする商品用陳列ボード。
【請求項２】
上記係止フックは、縦向きに延びる折線と、該折線の上下端に連なる切り込みとによって囲まれた逆Ｌ字形のフック部分からなり、このフック部分を上記折線に沿って起立させることにより形成されていることを特徴とする請求項１に記載の陳列ボード。
【請求項３】
上記基板の上端部に、該基板の一部を下向きに折り返すことにより二重部が形成されると共に、この二重部に紐通し孔が形成され、この紐通し孔に上記吊掛紐が挿通されて基板に取り付けられていることを特徴とする請求項１又は２に記載の陳列ボード。
【請求項４】
上記板状の支持体が商品包装用箱の一つの側板であり、該側板の外面に沿って上記基板を縦向姿勢に配置した状態で上記係止フックが該側板の上端縁に係止されると共に、上記商品包装用箱に設けた棒状の支持体に上記吊掛紐が吊り掛けられるように構成されていることを特徴とする請求項１から３の何れかに記載の陳列ボード。
【請求項５】
上記基板にさらに、上記板状の支持体の上端縁に係止可能な２つの補助係止フックが設けられ、該補助係止フックは、上記基板と別体に形成されていて、上記係止フックを挟んで該基板の左右両端寄りの位置に着脱自在に取り付けられ、上記係止フックと共に上記板状の支持体の上端縁に係止することを特徴とする請求項１から４の何れかに記載の陳列ボード。
【請求項６】
上記補助係止フックは、線状部材によって鈎形に形成され、この補助係止フックが、上記基板の側端部に形成された取付孔に挿入されることにより基板に取り付けられていることを特徴とする請求項５に記載の陳列ボード。
【考案の詳細な説明】
【技術分野】
【０００１】
本考案は、商品を吊り下げて陳列するのに用いられる商品用陳列ボードに関するものである。
【背景技術】
【０００２】
従来から、スーパーマーケットやドラッグストア或いは駅構内の売店等では、小袋入りの商品を陳列するためのものとして、プレート状を成す基板と、商品を吊り下げるための吊下フックとを有する商品用陳列ボードが利用されている。このような商品用陳列ボードの一例として、例えば特許文献１には、基板（１０）と、商品吊り下げ用フック（１１）と、上記基板（１０）の上部に設けられたハンガー吊り下げ用紐（１３）とから成る商品陳列ハンガー（１）が開示されている。該ハンガー（１）は、例えば、壁面に設けられたフックや商品陳列棚の横桟といった棒状の支持体に上記吊り下げ用紐（１３）を掛けることより、吊り下げた状態で使用されるように成っている。
【０００３】
しかしながら、上記商品陳列ハンガー（１）は、上記吊り下げ用紐（１３）で壁面或いは商品陳列棚等に吊り下げた状態でしか使用することができないため、使用できる場所が限定されていた。
【先行技術文献】
【特許文献】
【０００４】
【特許文献１】特開２００５−２３０３０３号公報
【考案の概要】
【考案が解決しようとする課題】
【０００５】
そこで、本考案の課題は、壁面或いは商品陳列棚等に吊り下げて使用するだけでなく、通路の空いたスペースなどでも商品包装用箱等を利用して簡単に設置することが可能な商品用陳列ボードを提供することにある。
【課題を解決するための手段】
【０００６】
上記課題を達成するため、本考案によれば、商品を吊り下げて陳列する陳列ボードであって、プレート状をした基板に、上記商品を吊り下げるための複数の吊下フックを設けると共に、棒状の支持体に吊り掛け可能な吊掛紐と、板状の支持体の上端縁に係止可能な２つの係止フックとを設けることにより形成され、上記吊下フックは、基端部を上記基板に着脱自在に取り付けられて先端部が該基板の前面方向に延出し、上記係止フックは、上記基板の幅方向中央寄りの左右相対する位置に、該基板の一部を該基板の裏面側に向けて切り起こすことにより該基板と一体に形成されていることを特徴とする商品用陳列ボードが提供される。
【０００７】
本考案において好ましくは、上記係止フックが、縦向きに延びる折線と、該折線の上下端に連なる切り込みとによって囲まれた逆Ｌ字形のフック部分からなり、このフック部分を上記折線に沿って起立させることにより形成されていることである。
【０００８】
本考案においては、上記基板の上端部に、該基板の一部を下向きに折り返すことにより二重部が形成されると共に、この二重部に紐通し孔が形成され、この紐通し孔に上記吊掛紐が挿通されて基板に取り付けられていることが望ましい。
【０００９】
また、本考案において、上記板状の支持体が商品包装用箱の一つの側板であり、該側板の外面に沿って上記基板を縦向姿勢に配置した状態で上記係止フックが該側板の上端縁に係止されると共に、上記商品包装用箱に設けた棒状の支持体に上記吊掛紐が吊り掛けられるように構成されていることが望ましい。
【００１０】
本考案において望ましくは、上記基板にさらに、上記板状の支持体の上端縁に係止可能な２つの補助係止フックが設けられ、該補助係止フックは、上記基板と別体に形成されていて、上記係止フックを挟んで該基板の左右両端寄りの位置に着脱自在に取り付けられ、上記係止フックと共に上記板状の支持体の上端縁に係止することである。
このとき、上記補助係止フックは、線状部材によって鈎形に形成され、この補助係止フックが、上記基板の側端部に形成された取付孔に挿入されることにより基板に取り付けられていることが望ましい。
【考案の効果】
【００１１】
本考案の商品用陳列ボードは、棒状の支持体に吊り掛け可能な吊掛紐と、板状の支持体の上端縁に係止可能な係止フックとの両方を備えているため、上記吊掛紐で壁面のフックや商品陳列棚の横桟等に吊り下げて使用することができるだけでなく、商品包装用箱の側板の上端縁に上記係止フックを係止させることによって該商品包装用箱に係止させた状態でも使用することができ、このため、該陳列ボードの使用箇所が限定されず、店舗内の通路の隅などの空きスペースを利用して簡単に設置することができる。
【図面の簡単な説明】
【００１２】
【図１】本考案に係る商品用陳列ボードを商品包装用箱に係止させた状態を示す斜視図である。
【図２】図１の陳列ボードに商品を吊り下げた使用状態を示す斜視図である。
【図３】図１における後側上方斜視図である。
【図４】陳列ボードの基板を示す平面図である。
【図５】図４の側面図である。
【図６】上記基板の上端部の部分展開図である。
【図７】吊下フックを示す斜視図である。
【図８】吊下フックを基板に取りつけた状態を示す要部断面である。
【図９】図１の要部拡大断面図である。
【考案を実施するための形態】
【００１３】
図１〜９は本考案に係る商品用陳列ボードの一実施形態を示すもので、図１〜図３は、この商品用陳列ボード１を商品包装用箱３０に支持させた状態で設置した場合を示すものである。この商品包装用箱３０は、段ボール製の四角い箱で、商品の包装用に使用されたあとの空き箱であり、上部を開放した状態で店舗内の通路の空きスペースなどに置かれ、四角い形を保持させるため、該箱３０の内部に格子状をした針金製あるいは合成樹脂製の補強枠３１が取り付けられている。
【００１４】
上記陳列ボード１は、プレート状をした基板３に、商品２を吊り下げるための複数の吊下フック４と、上記補強枠３１に係止する吊掛紐６と、上記商品包装用箱３０の一つの側板３０ａの上端縁３０ｂに係止する２つの係止フック７，７と２つの補助係止フック８，８とを設けることにより形成されている。従って、上記補強枠３１は、上記吊掛紐６を吊り掛けるための棒状の支持体を形成するものであり、側板３０ａは、上記係止フック７および補助係止フック８を係止させるための板状の支持体を形成するものである。
【００１５】
上記基板３は、図４及び図５にも示すように、厚紙又は合成樹脂板等によって略矩形の平板状に形成されていて、前面３ａと背面３ｂとを有し、背面３ｂを上記側板３０ａ側に向けて縦向きの姿勢で配置されている。また、該基板３の横幅は、上記側板３０ａの横幅と略同一に形成され、該基板３の縦方向長さ（高さ）は、上記側板３０ａの高さより大きく形成されている。
【００１６】
また、上記基板３には、該基板３の一部を切り起こすことによって複数の取付片９が形成されている。該取付片９は、上記吊下フック４を取り付ける為のもので、横向きに延びる折線９ａと、該折線９ａの両端に連なる逆凹字形の切り込み９ｂとで囲まれた略矩形状の部分からなり、この取付片９が、上記折線９ａに沿って基板３の背面３ｂ側に向けて折り返され、その折り返した部分に上記吊下フック４が係止させられている。
【００１７】
なお、図示した例では、上下４段に配置された取付片９を縦一列として合計３列の取付片９が、上記基板３の幅方向の中央位置と左右両端部寄りの位置とに一定の間隔を持って配置されている。したがって、上記取付片９の数は全部で１２個である。
【００１８】
上記吊下フック４は、合成樹脂で全体を一体成形したもので、図７および図８に示すように、基端部に上記取付片９に係止させるための係止部片４Ａを有し、先端部に上記商品２を吊り下げるための吊下部片４Ｂを有している。
上記係止部片４Ａは、縦方向に細長い板状の第１部分４ａの上端部に、該第１部分４ａより縦方向長さの短い第２部分４ｂを、上記第１部分４ａの背面側に向けて略Ｕ字形をなすように連設したもので、これらの第１部分４ａと第２部分４ｂとの間に上記取付片９を折り返して二重になった部分を嵌合させ、それによって各吊下フック４を基板３に取り付けている。
【００１９】
一方、上記吊下部片４Ｂは、細長い円形断面の棒状をしていて、上記係止部片４Ａの第１部分４ａから前方に向けて垂直かつ真っ直ぐに延出し、吊り下げた商品２が抜け落ちるのを防止するため、先端４ｃが上方に向けて少しの角度折り曲げられている。
【００２０】
上記基板３の上端部には、該基板３の一部を下向きに折り返すことにより二重部１１が形成され、この二重部１１に紐通し孔１２が形成され、この紐通し孔１２に柔軟な上記吊掛紐６が挿通されて基板３に取り付けられている。また、該吊掛紐６の先端にフック１４が取り付けられ、このフック１４が上記補強枠３１の一部の枠線に係止している。なお、該フック１４の補強枠３１への係止は、上記係止フック７および補助係止フック８を商品包装用箱３０の側板３０ａに係止させたあと、必要に応じて行われる。
【００２１】
上記二重部１１は、図６に示すように、基板３の上端部を、幅方向に形成された第１〜第３の折線１１ａ〜１１ｃに沿って背面３ｂ側に向けて折曲げたのち、第３の折線１１ｃと端縁１１ｄとの間に形成された貼付部１３を両面テープなどの接着手段で基板３の背面３ｂに接着することにより形成されたもので、図５に示すように、この二重部１１の断面形状は断面三角形である。
【００２２】
上記紐通し孔１２は、基板３の略中央部分を介して左右相対する位置に、上記二重部１１を表裏に貫通するように形成されている。上記吊掛紐６の先端には、略Ｓ字状をした上記フック１４が取り付けられている。
【００２３】
上記係止フック７は、図３および図４から明らかなように、上記基板３の幅方向中央寄りの左右相対する位置に、該基板３の一部を該基板３の背面３ｂ側に向けて切り起こすことにより、該基板３と一体に形成されている。換言すれば、２つの上記係止フック７が、上記取付片９と重ならないように、上記基板３の中央に位置する取付片９の列を挟んで左右相対する位置に、左右対称に形成されている。
【００２４】
上記係止フック７は、縦向きに延びる折線７ａと、該折線７ａの上下端に連なる切り込み７ｂとによって囲まれた逆Ｌ字形のフック部分からなるもので、このフック部分を上記折線７ａに沿って起立させることにより形成されている。さらに詳しく説明すると、上記フック部分は、上記折線７ａに隣接する広幅部７Ａと、該広幅部７Ａの下端部から下向きに延出する狹幅部７Ｂとから構成されていて、上記広幅部７Ａの下端部に、これら広幅部７Ａと狹幅部７Ｂとの幅差による段差部７Ｃが形成されている。そして、図３に示すように、基板３の背面３ｂ側に曲げ起こされた上記係止フック７，７の上記段差部７Ｃを上記側板３０ａの上端縁３０ｂに係止させることにより、上記基板３が上記商品包装用箱３０に支持されている。
【００２５】
また、上記補助係止フック８は、図９に示すように、上記基板３と別体に形成されていて、上記係止フック７，７を挟んで該基板３の左右両端寄りの位置に着脱自在に取り付けられ、上記係止フック７，７と共に上記側板３０ａの上端縁３０ｂに係止している。
さらに具体的に説明すると、上記補助係止フック８は、針金や合成樹脂線などの線状部材からなるもので、鈎形好ましくは逆Ｕ字形に形成された係止部８ａと、該係止部８ａにおける一方の線状部分の一端から直角に延びる直線部８ｂと、該直線部８ｂの先端の折返部８ｃとから構成されている。そして、上記基板３の側端部に形成された取付孔１５内に該補助係止フック８を上記折返部８ｃ側から挿入させることにより、上記係止部８ａを基板３の背面３ｂ側に位置させた状態で該基板３に取り付けられ、上記係止部８ａが上記側板３０ａの上端縁３０ｂに嵌合、係止している。したがって上記係止部８ａを形成する２本の平行する線状部分間の間隔は、上記側板３０ａの厚さ以上の大きさであり、上記係止フック７に設けられた上記段差部７Ｃの長さと略同一である。
【００２６】
上記補助係止フック８の折返部８ｃは、図３及び図９に示すように、上記基板３の前面３ａ側に延出し、該基板３に係止することによって該基板３が上記補助係止フック８から外れるのを防止する。この補助係止フック８の直線部８ｂに商品２を吊り下げることもできる。
【００２７】
このようにして上記陳列ボード１は、商品包装用箱３０に支持させた状態で設置し、各吊下フック４に商品２を吊り下げて陳列することができる。このとき、２つの係止フック７と２つの補助係止フック８とが、陳列ボード１の中央部近くと両端部近くの両方の位置で上記商品包装用箱３０の側板３０ａの上端縁３０ｂに係止しているため、該陳列ボード１の設置姿勢は非常に安定し、位置ずれしたりがたついたりすることがない。さらに、必要に応じて吊掛紐６を商品包装用箱３０の適宜位置に係止させることにより、その設置姿勢をより安定させることができる。
【００２８】
また、上記陳列ボード１は、上記吊掛紐６で壁面のフックや商品陳列棚の横桟等に吊り下げて使用することもできる。この場合、上記係止フック７は起立させない状態にし、また補助係止フック８は、該陳列ボード１から取り外される。しかし、上記係止フック７を起立させた状態にし、また補助係止フック８も該陳列ボード１に取りつけた状態のままであっても構わない。
【００２９】
上記実施形態では、上記係止フック７および補助係止フック８を係止させる板状の支持体が商品包装用箱３０の側板３０ａであるが、この板状の支持体は、それ以外のもの、例えば商品陳列棚の前面の縦壁であっても良い。
【００３０】
かくして上記商品用陳列ボードは、棒状の支持体に吊り掛け可能な吊掛紐６と、板状の支持体の上端縁に係止可能な係止フック７および補助係止フック８との両方を備えているため、上記吊掛紐６で壁面のフックや商品陳列棚の横桟等に吊り下げて使用することができるだけでなく、商品包装用箱３０の側板３０ａの上端縁３０ｂに上記係止フック７および補助係止フック８を係止させることによって該商品包装用箱３０に係止させた状態でも使用することができ、このため、該陳列ボード１の使用箇所が限定されず、店舗内の通路の隅などの空きスペースを利用して簡単に設置することができるという利点がある。
【符号の説明】
【００３１】
１      陳列ボード
２      商品
３      基板
４      吊下フック
６      吊掛紐
７      係止フック
７ａ      折線
７ｂ      切り込み
８      補助係止フック
１１      二重部
１２      紐通し孔
【図１】
0003157499.tif 000003
【図２】
0003157499.tif 000004
【図３】
0003157499.tif 000005
【図４】
0003157499.tif 000006
【図５】
0003157499.tif 000007
【図６】
0003157499.tif 000008
【図７】
0003157499.tif 000009
【図８】
0003157499.tif 000010
【図９】
0003157499.tif 000011